(57)【要約】【課題】  フィルタ機能に優れ、取扱い便利な追焚式浴槽用フィルタ装置の提供。【解決手段】  追焚式浴槽１に設けた循環アダプタ２のアダプタ本体４に着脱自在に取付けられるアダプタキャップ２０と、このアダプタキャップ２０に着脱自在に取付けられるフィルタカセット３０を備える。アダプタキャップ２０の側面一部に設けた開口にフィルタカセット３０の取付部３１を嵌合させ、アダプタ本体４の追焚湯を吐出する吐出口６にフィルタカセット３０を連通させ、追焚湯をフィルタカセット３０内に収納した不織布や粒状貝殻焼成カルシウムなどのフィルタ３４に通して浴槽内に戻す。【選択図】図１
2005253954.tif 000002
【特許請求の範囲】
【請求項１】
追焚式浴槽の内面に突設した循環アダプタに着脱自在に取付けるフィルタ装置であって、
前記循環アダプタの吸込口と吐出口を湯水流通可能にして循環アダプタに着脱自在に装着される取付部と、前記循環アダプタの吸込口及び／又は吐出口に連通する湯水流通口に流通する湯水をろ過するフィルタを収納するフィルタ装着部を備えたフィルタカセットを有することを特徴とする浴槽用フィルタ装置。
【請求項２】
追焚式浴槽の内面に突設した循環アダプタに着脱自在に取付けるフィルタ装置であって、
前記循環アダプタの吸込口と吐出口を湯水流通可能にして循環アダプタに着脱自在に装着されるアダプタキャップと、
前記アダプタキャップに着脱自在に連結される取付部、前記循環アダプタの吸込口及び／又は吐出口に連通する湯水流通口、及び、この湯水流通口に流通する湯水をろ過するフィルタを収納するフィルタ装着部を有するフィルタカセットと、
を具備したことを特徴とする浴槽用フィルタ装置。
【請求項３】
前記フィルタ装着部に、複数種類のフィルタを多層に収納したことを特徴とする請求項１または２に記載の浴槽用フィルタ装置。
【請求項４】
前記フィルタ装着部に、貝殻焼成カルシウムから成るフィルタを収納したことを特徴とする請求項１〜３のいずれかに記載の浴槽用フィルタ装置。
【請求項５】
前記貝殻がホタテ貝殻であることを特徴とする請求項４に記載の浴槽用フィルタ装置。
【請求項６】
前記循環アダプタの吐出口に前記フィルタカセットの湯水流通口を連通させたことを特徴とする請求項１〜５のいずれかに記載の浴槽用フィルタ装置。
【請求項７】
前記循環アダプタが円盤状でその側面に下向きに吐出口を有し、この循環アダプタ側面の吐出口からの湯水吐出方向に前記フィルタカセットの湯水流通口とフィルタを配列してフィルタカセットを循環アダプタの側方に配設したことを特徴とする請求項６記載の浴槽用フィルタ装置。
【発明の詳細な説明】
【技術分野】
【０００１】
本発明は、追焚式浴槽内に突出させた循環アダプタに着脱自在、交換自在に取付けるフィルタ装置に関する。
【背景技術】
【０００２】
浴槽の内外で湯水を循環させ、浴槽外で湯水を加熱して浴槽内に戻す追焚式浴槽においては、浴槽外で不織布などのフィルタを使って湯水を浄化するか、浴槽内でフィルタを使って湯水を浄化することが行われている。浴槽外で湯水を浄化するフィルタは、浴槽外の湯水循環路に設置された不織布のプレフィルタ、活性炭やセラミックスなどの特別な湯水浄化性能を有する粒子を集合させた粒子フィルタ、前記粒子を含有固定した多孔質フィルタなどで、浴槽外に設置されることから大形で湯水浄化性能や脱臭性能などに優れたものが使用できるが、フィルタ設備が大掛りとなり、大きな設置スペースを要するなどの制約がある。追焚式浴槽内で湯水を浄化するフィルタとしては、浴槽内の追焚用循環アダプタに着脱自在に取付けるステンレスメッシュのフィルタ（例えば、特許文献１参照）がある。
【０００３】
このフィルタ付き追焚用循環アダプタの具体例を図１３〜図１６に示す。図１３及び図１４に示される追焚用循環アダプタ２は、ボディー部３に円盤状の樹脂製アダプタ本体４を嵌着させた直角おねじタイプのもので、ボディー部３が浴槽１の裏面にパッキングを介して固定され、浴槽１の内面にアダプタ本体４が突出する。アダプタ本体４に円形のアダプタキャップ１０が着脱自在に嵌着される。アダプタキャップ１０は前面と側面に部分的に形成した湯水流通部１１を有し、この湯水流通部１１にステンレスメッシュのフィルタ１２を装着している。
【０００４】
アダプタ本体４は、図１３の正面図に示すように、中央部から両側方下向きに延在させた吸込管部４ａと吐出管部４ｂを有し、吸込管部４ａの先端の吸込口５と吐出管部４ｂの先端の吐出口６がアダプタ本体４の側面に開口する。なお、この種のアダプタ本体における吸込口と吐出口の取付位置は様々で、上記特許文献１はアダプタ本体の前面中央に吸込口を設けている。浴槽１内の湯水が吸込口５から吸込管部４ａに吸込まれ、ボディー部３内の図示しない吸込流路から吸込配管を通って風呂釜に給送され、風呂釜で加熱された湯がボディー部３内の吐出流路から吐出管部４ｂを通過して吐出口６から浴槽１内に戻る。アダプタ本体４の側面に吐出口６を下向き角度で設けることで、図１３及び図１４の矢印で示すように吐出口６から吐出される湯を浴槽１の内面に沿って下向きに吐出する。
【０００５】
アダプタキャップ１０は、図１６に示すような樹脂製の内キャップ１５にステンレス製の外キャップ１６を重合させている。内キャップ１５と外キャップ１６の双方に部分的に開口させた湯水流通部１１を形成し、両者の湯水流通部１１の間に湯水流通部１１を塞ぐようにしてステンレスメッシュの板状フィルタ１２を装着している。湯水流通部１１は、アダプタキャップ１０の円形の前面に複数が放射状パターンに形成された湯水流通部１１ａと、アダプタキャップ１０の下部両側面に形成された一対の湯水流通部１１ｂがあり、一対の湯水流通部１１ｂに装着された一対のフィルタ１２の中央部分にアダプタ本体４の吸込口５と吐出口６が接近して対向する。
【０００６】
図１５に示すように、浴槽１から突出するアダプタ本体４にアダプタキャップ１０が被さるように着脱される。アダプタ本体４の外周にアダプタキャプ１０の内周を軸方向から嵌挿して、アダプタキャップ１０を周方向（右方向）に少し回転させると、アダプタ本体４とアダプタキャップ１０の双方に形成された図示しない溝と突起の係合部同士が係合してアダプタキャップ１０の取付けが行われる。この取付けと逆の操作をすることでアダプタキャップ１０の取外しが行われる。
【０００７】
アダプタ本体４にアダプタキャップ１０を取付けた状態で追焚が行われる。浴槽内の湯水が一方の湯水流通部１１ｂのフィルタ１２を通過して吸込口５に吸込まれ、吐出口６から吐出された湯水が他方の湯水流通部１１ｂのフィルタ１２を通過して浴槽内に戻される。一対の湯水流通部１１ｂの各フィルタ１２に内外から湯水を流通させることで、湯水に含まれるゴミ類が一対の湯水流通部１１ｂの各フィルタ１２でろ過される。フィルタ１２がろ過したゴミ類で目詰まりを起すと、アダプタ本体４からアダプタキャップ１０が取外されてフィルタ１２の掃除が行われる。
【特許文献１】特開２００２−２４８０６１号公報（図１）
【発明の開示】
【発明が解決しようとする課題】
【０００８】
追焚式浴槽の循環アダプタに取付けたアダプタキャップのフィルタは、アダプタキャップの形状サイズの制約からステンレスメッシュにほぼ限定され、しかも、ステンレスメッシュの湯水が通過するろ過面積が制約を受けて、ろ過面積を増大させることが難しい。そのため、フィルタ付きアダプタキャップは、湯水中の髪の毛のような比較的大きなゴミ類をろ過する程度でろ過機能に劣り、かつ、ゴミ類のろ過に限られて湯水活性や脱臭等の他のフィルタ機能を持たせることが難しい。
【０００９】
アダプタキャップのフィルタ機能不足を補うため、浴槽内の湯水に市販品のフィルタ製品を浮かべたり、同フィルタ製品を浴槽内面に吸盤などで着脱自在に設置することが行われている。このフィルタ製品は、不織布などのプレフィルタや活性炭、脱臭剤などの粒子フィルタを袋詰めしたものや、樹脂ケースに収納したもので、多種多様のフィルタ機能を有する。しかし、これらフィルタ製品は浴槽内の湯水に浸漬された状態で湯水を自然的にろ過するため、自己のフィルタ機能を十分に発揮させることが難しく、結果的にフィルタ機能に劣る。また、単独製品のフィルタ製品は浴槽内外での取付場所、保管場所が一定していないことから保守管理が面倒である。
【００１０】
本発明の目的は、機能性と利便性に優れた追焚式浴槽用フィルタ装置を提供することにある。
【課題を解決するための手段】
【００１１】
本発明は、追焚式浴槽の内面に突設した循環アダプタに着脱自在に取付けるフィルタ装置であって、循環アダプタの吸込口と吐出口を湯水流通可能にして循環アダプタに着脱自在に装着される取付部と、循環アダプタの吸込口及び／又は吐出口に連通する湯水流通口に流通する湯水をろ過するフィルタを収納するフィルタ装着部を備えたフィルタカセットを備えた構造にすることで、上記目的を達成するものである。
【００１２】
さらに本発明は、追焚式浴槽の内面に突設した循環アダプタに着脱自在に取付けるフィルタ装置であって、循環アダプタの吸込口と吐出口を湯水流通可能にして循環アダプタに着脱自在に装着されるアダプタキャップと、このアダプタキャップに着脱自在に連結される取付部、循環アダプタの吸込口及び／又は吐出口に連通する湯水流通口、及び、この湯水流通口に流通する湯水をろ過するフィルタを収納するフィルタ装着部を有するフィルタカセットと、を具備したことにより上記目的を達成するものである。
【００１３】
ここで、フィルタカセットは、循環アダプタに直接的に取り付けられる他、循環アダプタに装着されたアダプタキャップを介して循環アダプタに連接されるものが適用できる。アダプタキャップは、フィルタカセット取付専用の金属製又は樹脂製キャップや、このキャップにステンレスメッシュなどのフィルタを取付けたフィルタ付きキャップが適用できる。このアダプタキャップは、追焚式浴槽の内面に突設させた循環アダプタに着脱される既存のフィルタ付きアダプタキャップ製品、又は、この既存製品から一部のフィルタを取り外した改造品、同既存製品の一部を変形加工した改造品を適用することができる。
【００１４】
また、フィルタカセットの取付部は、循環アダプタ又はアダプタキャップにワンタッチ嵌合式、雌ねじと雄ねじのねじ込み式、締付バンドを使ったバンド式、永久磁石と磁性板を使った磁気吸着式などのいずれかの方式で簡易に着脱できる部所であり、この取付部はフィルタ装着部と一体構造にすることができる。フィルタカセットの湯水流通口は、取付部とフィルタ装着部の間に形成され、循環アダプタに装着したアダプタキャップに取付部を連結したときに、湯水流通口が循環アダプタの吸込口と吐出口のいずれか一方又は両方に連通する。フィルタ装着部は不織布、粒状や粉状などの活性炭、貝殻焼成カルシウムなどのフィルタを収納する樹脂製又は金属製のケース、枠体、袋であり、全体又は部分的に設けた透水部を通してフィルタに湯水を流通させる。フィルタは、不織布などのシート状やブロック状フィルタ、活性炭、貝殻焼成カルシウム、天然石の粒状フィルタなどであり、一種類のフィルタ、又は、複数種類のフィルタを多層に積層するなどして使用される。
【００１５】
本発明においては、フィルタ装着部に複数種類のフィルタを多層に収納することができる。即ち、フィルタ装着部はアダプタキャップの形状サイズに制約されること無く適度なサイズにすることができ、複数種類のフィルタをそれぞれ十分な量で収納することが容易であることから、フィルタ装着部に複数種類のフィルタを整列状態で収納する。この場合のフィルタは、不織布のプレフィルタ材、プレフィルタ材に活性炭や麦飯石などの湯水浄化活性粒子を付着処理した機能フィルタ材、ホタテ貝殻焼成カルシウムのフィルタ材、フィルタ材に酸化チタンなどの光半導体物質を溶着した機能フィルタ材の他、亜硫酸カルシウムなどを塗布した塩素除去効果に優れたフィルタ材、有毒な不純物を殺菌して除去する銀ゼオライトなどの抗菌フィルタ材、脱臭フィルタ材、温泉効能（ラドン、鉱物など）フィルタ材、遠赤外線フィルタ材などが適用できる。
【００１６】
また、本発明においては、循環アダプタの吐出口にフィルタカセットの湯水流通口を連通させることができる。さらに、本発明においては、循環アダプタが円盤状でその側面に下向きに吐出口を有し、この循環アダプタ側面の吐出口からの湯水吐出方向にフィルタカセットの湯水流通口とフィルタを直列状に配列してフィルタカセットを循環アダプタの側方に配設することができる。
【００１７】
追焚式浴槽においては、循環アダプタの吸込口と吐出口の一方又は両方にフィルタカセットを連通させて取付けると、追焚時にフィルタカセットのフィルタに湯水が積極的に流通してろ過されることから、いずれもフィルタ機能を高く設定することができる。この場合、循環アダプタの湯水が吐出される吐出口側にフィルタカセットを取付けるようにすると、吐出口から吐出される湯水が直接的にフィルタカセットのフィルタへと流れる。そのため、吐出口からの湯水の一部がアダプタキャップ内面を伝って吸込口側に回り込んで吸込口に吸い込まれるのが抑制できて、追焚効率が良くなる。つまり、追焚用循環アダプタの種類によっては、吐出口から吐出された湯水の一部が吸込口へと回り込んで吸込口に浴槽の湯水と共に吸い込まれると、吐出口から浴槽内に吐出される湯水の量が減り、効率が悪くなることがあるが、吐出口にフィルタカセットを取付ければ吐出口から吐出された湯水はフィルタカセットでガイドされる形で浴槽内に吐出され、追焚効率が良くなる。
【００１８】
また、円盤状循環アダプタの側面に下向きに形成した吐出口側にフィルタカセットを取付けることで、循環アダプタ側面の吐出口から下向きに吐出された湯水の吐出方向をフィルタカセットで好適な方向にガイドすることができる。この好適な方向とは、入浴中の人に向けて湯水を吐出しない方向であり、また、湯水を浴槽の底までガイドして吐出するようにして浴槽内の湯水を効率よく攪拌する方向である。また、浴槽内面に突出する循環アダプタの側方に設置したフィルタカセットを、循環アダプタと同程度の厚さの盤状とすることで、両者が浴槽内面に沿って上下や左右に並置された形となり、両者の浴槽内面からの突出高が小さくできて、入浴中の人の邪魔にならない。
【発明の効果】
【００１９】
本発明によれば、追焚式浴槽の循環アダプタにフィルタカセットを被せるように装着することで、既存のアダプタキャップが不要となり、フィルタ付き循環アダプタ装置のコスト低減が図れる。また、循環アダプタにフィルタカセットをアダプタキャップを介して着脱自在に取付けることで、フィルタカセットがアダプタキャップの形状サイズに制約されること無く独自に形状とサイズが設計できて、収納するフィルタの量、種類が自在に選択でき、多種多様で多機能な追焚式浴槽用フィルタ装置が提供できる。
【００２０】
また、フィルタカセットを循環アダプタの吐出口、吸込口に連通する所定の場所に取付けると、フィルタカセットに湯水が積極的に流通して、フィルタによる湯水ろ過や活性などのフィルタ機能を十分に発揮させることができ、かつ、フィルタカセット取付場所の固定化でフィルタカセットの保守管理が容易になり、機能性と利便性に優れた追焚式浴槽用フィルタ装置が提供できる。
【発明を実施するための最良の形態】
【００２１】
以下、本発明の実施の形態を図１〜図１２を参照して説明する。なお、同図の実施の形態は図１３〜図１６の循環アダプタ２に適用したもので、同一部分には同一符号を付して説明の重複を避ける。
【００２２】
図１〜図３に示される第１の実施の形態は、循環アダプタ２のアダプタ本体４に着脱自在に取付けられるアダプタキャップ２０と、このアダプタキャップ２０に着脱自在に取付けられるフィルタカセット３０を備える。アダプタキャップ２０は、図１３〜図１６の既存のフィルタ付きアダプタキャップ１０と大部分が同一で、円形の前面に放射状パターンで湯水流通部２１ａを有し、側面に一対の矩形の湯水流通部２１ｂを有する。一対の湯水流通部２１ｂの一方にステンレスメッシュのフィルタ２２が装着され、他方は図３に示すようにフィルタ無しの矩形の取付穴２３である。この取付穴２３は、フィルタカセット３０を着脱自在に取付ける穴に利用される。また、アダプタキャップ２０は、樹脂製の内キャップ２５にステンレス製の外キャップ２６を重合させた構造で、取付穴２３は内キャップ２５と外キャップ２６の側壁を貫通する。このようなアダプタキャップ２０は、図１３の既存品のアダプタキャップ１０の側面にある１つの湯水流通部１１ｂからステンレスメッシュのフィルタ１２を取り外した構造のものが適用できる。
【００２３】
フィルタカセット３０は、アダプタキャップ２０の取付穴２３に挿脱可能に嵌挿される取付部３１と、取付部３１で囲まれる形状の湯水流通口３２と、取付部３１から一体に延在するカセットケース状のフィルタ装着部３３と、フィルタ装着部３３に収納された複数種類のフィルタ３４を備える。図３に示すように、取付部３１は矩形筒状を成し、先端側に二股状の突起部３１ａを有し、この突起部３１ａの先端部外面に突出退入自在の弾性係止爪３１ｂが装着される。突起部３１ａを取付穴２３に押し込むと、取付穴２３の両端エッジ部に弾性係止爪３１ｂが押圧されて退入し、さらに押し込むと弾性係止爪３１ｂが取付穴２３の両端エッジ部を乗り越えてエッジ部内側にカチッと音を発して係止し、取付穴２３に取付部３１を抜けないように支持する。この取付は片手でワンタッチで行え、取付けたときの発音で適正に取付けたことが確認できる。取付部３１の矩形筒状の根元部分が取付穴２３を塞ぎ、根元部分内の湯水流通口３２がアダプタ本体４の吐出口６と連通する。アダプタキャップ２０からのフィルタカセット３０の取外しは、取付部３１を取付穴２３から引き抜くことでワンタッチで行われる。
【００２４】
フィルタカセット３０のフィルタ装着部３３は、アダプタキャップ２０と同程度の厚さの円形ケースで、側面一部に取付部３１を突設し、取付部３１と反対側の側面一部に矩形の透水部３５を有する。取付部３１の湯水流通口３２に流入した湯水はフィルタ装着部３３の内部を通過して透水部３５から外部に流出する。円形のフィルタ装着部３３の内部に同心円状或いは渦巻き状に複数種類のフィルタ３４が収納され、湯水流通口３２に流入した湯水はフィルタ３４でろ過されながら分散してフィルタ装着部３３内を平均的に流通する。フィルタ３４は、流通する湯水の異物除去、活性化、脱臭などの所望のろ過処理、フィルタ処理を行う。図１に示されるフィルタ３４は、不織布などの布状フィルタと、活性炭や天然鉱石、貝殻焼成カルシウムなどの粒状、粉状のフィルタで、このフィルタを囲むように布状や綿状のフィルタを多層に積層している。
【００２５】
追焚式浴槽１の内面に突設した循環アダプタ２のアダプタ本体４にアダプタキャップ２０が、図１３の既存品と同様にワンタッチ式に取付けられ、このアダプタキャップ２０にフィルタカセット３０がワンタッチ式に取付けられる。浴槽内に水を入れて追焚をすると、浴槽内の水はアダプタキャップ２０のフィルタ２２を通して循環アダプタ２の吸込口５に吸い込まれ、浴槽外で加熱された湯が吐出口６から浴槽内に吐出される。吐出口６から吐出された湯はフィルタカセット３０の湯水流通口３２からフィルタ装着部３３内に流入し、フィルタ３４を通過して透水部３５から浴槽内に戻され、浴槽内の湯水を昇温させる。フィルタ３４を湯水が通過する間に、微細な不純物がフィルタ３４でろ過され、フィルタ３４の種類によっては殺菌、脱臭、湯水活性化などが行われる。
【００２６】
図１に示すように、浴槽１の内面に突出する円盤状アダプタ本体４の側面に斜め下向きに形成された吐出口６の湯水吐出方向に、アダプタキャップ２０の湯水流通口３２とフィルタ３４と透水部３５を一連に配列させることで、吐出口６から吐出された湯が吐出方向を大きく変えることなく斜め下向きに流動し、透水部３５から浴槽１の底に向けて放出される。吐出口６から吐出された湯水の大部分がフィルタカセット３０でガイドされて浴槽１の底近くで放出されるので、浴槽内の湯水が攪拌されて効率よく昇温し、追焚効率が良くなる。
【００２７】
フィルタ付きアダプタキャップ２０とフィルタカセット３０は、フィルタに目詰まりなどが生じてフィルタ機能が低下すると、掃除や交換が行われる。アダプタキャップ２０は、図１３の既存品と同様に掃除が行われると再使用される。フィルタカセット３０の多種多様なフィルタ３４は掃除が難しく、掃除するより廃棄処分するほうが経済的であることから、フィルタカセット３０はフィル多機能が低下すると新品と交換する。一般家庭用フィルタ装置において、フィルタカセット３０の交換は１箇月程度が適当である。フィルタカセット３０の取付部３１とフィルタ装着部３３を樹脂成形品にすることで、フィルタカセット３０が低コストで量産できることから、１箇月程度の交換はユーザにとって経済的にあまり問題とならない。
【００２８】
次に、図４及び図５に示す第２の実施の形態のフィルタ装置と、図６及び図７に示す第３の実施の形態のフィルタ装置を順に説明する。
【００２９】
図４及び図５に示すフィルタ装置は、アダプタキャップ２０の外キャップ２６にフィルタカセット取付用レール部２７を形成し、このレール部２７にフィルタカセット３０の取付部３１を差込み式に着脱自在に取付けるようにしている。例えば、ステンレス製の外キャップ２６の側面一部に貫通させた取付穴２３の両端エッジ部から一対の断面Ｌ形にレール部２７を突設する。フィルタカセット３０は外キャップ２６の周面に沿う円弧形側面３８の一部に取付部３１を形成する。この取付部３１は、外キャップ２６の一対のレール部２７に図５の矢印で示す軸方向から挿脱自在に嵌挿される一対の断面フック状の係合部３７を有する。一対の係合部３７の間に形成された開口が湯水流通口３２となる。
【００３０】
また、図４に示されるフィルタカセット３０のフィルタ装着部３３はハート形で、その頂面が凹円弧形側面３８であり、頂面と反対側の側面に透水部３５を形成し、内部に複数種類のフィルタ３４を収納する。フィルタカセット３０の側面３８をアダプタキャップ２０の外周面に合わせ、一対の係合部３７に対応する一対のレール部２７を嵌挿させ、側面３８をアダプタキャップ２０の外周面に摺接させる。一対の係合部３７とレール部２７の係合力でアダプタキャップ２０にフィルタカセット３０が連結され、フィルタカセット３０の側面３８とアダプタキャップ２０の外周面の接触圧でフィルタカセット３０のガタ付きが無くなり、フィルタカセット３０の安定した取付ができる。
【００３１】
図６及び図７に示すフィルタ装置は、図１のフィルタ装置の取付部３１に、取付部３１と別体の袋状フィルタ装着部３３を連接し、袋状フィルタ装着部３３の中に同一材料のホタテ貝殻焼成カルシウムの粒状フィルタ３４ａを収納している。ここでの取付部３１は両端開口の各筒体で、先端側に二股状の突起部３１ａと弾性係止爪３１ｂを有し、突起部３１ａがアダプタキャップ２０の取付穴２３にワンタッチで嵌着される。取付部３１の後端部外面に袋状フィルタ装着部３３の開口部が被せられ、締付条体３７で締め付けられる。袋状フィルタ装着部３３は、織物や不織布のフィルタ機能を持つ袋で、全体を湯水が流通する。浴槽１の内面に取り付けたアダプタキャップ２０の取付穴２３に取付部３１を連接すると、袋状フィルタ装着部３３が粒状フィルタ３４ａの重量で垂れ下がる。取付穴２３の吐出口４ｂから吐出された湯は、筒状取付部３１内をガイドされて通過して、袋状フィルタ装着部３３内に入り、粒状フィルタ３４ａ中に分散してろ過され、袋状フィルタ装着部３３の全体から浴槽内に流出する。
【００３２】
粒状フィルタ３４ａのホタテ貝殻焼成カルシウムは、ホタテ貝殻を焼成して有機物を飛ばし、適度な粒状に粉砕したもので、水に浸漬すると酸化・還元作用により弱〜強アルカリ性となる。このようなホタテ貝殻焼成カルシウムは、抗菌・防カビ効果と湯あかなどの汚れ除去効果に優れる。これを袋状フィルタ装着部３３に収納して使用すると、湯水の抗菌効果、消臭効果、汚れ除去効果が顕著となり、さらに、美肌効果、浴室の汚れやヌメリの抑制効果（特に、黒カビによる汚れの抑制効果）が期待できる。
【００３３】
例えば、一般家庭の風呂場でホタテ貝殻焼成カルシウムフィルタの使用有無による比較実験をしたところ、ホタテ貝殻焼成カルシウムを使用しない風呂場においては約２０日で黒カビの発生が目立つが、ホタテ貝殻焼成カルシウムを使用した風呂場においては１ヶ月経過しても黒カビの発生が目立たない。また、残り湯を洗濯に使用して、乾燥した洗濯物の臭気の有無を実験したところ、ホタテ貝殻焼成カルシウムで脱臭された残り湯は、洗濯して天日乾燥させた洗濯物に臭いを生じさせない。
【００３４】
なお、袋状フィルタ装着部３３に収納する粒状フィルタ３４ａは、ホタテ貝殻以外のカキ殻などの貝殻焼成カルシウムも適用可能である。ホタテ貝殻焼成カルシウムは、ホタテ貝殻以外の粒状貝殻焼成カルシウムに比べて粒に丸みがあり、人の肌に優しいことから、浴槽に使用するフィルタ材として好適である。
【００３５】
次に、図８〜図１１に示す第４〜第７の各実施の形態のフィルタ装置と、図１２に示す第８の実施の形態のフィルタ装置を説明する。
【００３６】
図８の第４の実施の形態のフィルタ装置は、図１のフィルタ装置と同様な筒状取付部３１を延長させ、その先端開口部に円盤状のフィルタ装着部３３を連接している。円盤状フィルタ装着部３３の内部周辺部にホタテ貝殻焼成カルシウムの粒状フィルタ３４ｂを収納したドーナツ状の布袋４１を配置し、布袋４１で囲まれる空間に他の品種のフィルタ、例えば塩素除去効果に優れた亜硫酸カルシウムを布や綿に含浸させたフィルタ材３４ｃを収容する。円盤状フィルタ装着部３３を浴槽１の内面に、図示しない吸盤で止めてもよい。このフィルタ装着部３３の前面周辺部をパンチングメタルやステンレスメッシュの多孔板による透水部３５にする。
【００３７】
図８のフィルタ装置の場合、筒状取付部３１を通過した湯水がフィルタ装着部３３の中に入り、布袋４１のホタテ貝殻焼成カルシウムでろ過され、亜硫酸カルシウムのフィルタ材３４ｃで塩素除去され、再びホタテ貝殻焼成カルシウムでろ過されて透水部３５から浴槽内に流出される。ドーナツ状布袋４１からリング状の透水部３５の全体を平均して湯水が流出することで、急激な流出が抑制される。フィルタ装着部３３の前面周辺部の一部又は側面一部に透水部（図示せず）を設け、この透水部から集中的にフィルタ装着部内の湯水を流出させて、浴槽内の湯水を攪拌するようにしてもよい。いずれの場合も、湯水を最終的にホタテ貝殻焼成カルシウムでろ過するので、ホタテ貝殻焼成カルシウムの前述した各種のフィルタ効果が十分に発揮できる。
【００３８】
図９の第５の実施の形態のフィルタ装置は、図８のフィルタ装置の筒状取付部３１に連接した円盤状のフィルタ装着部３３の内部周辺部にホタテ貝殻焼成カルシウムの粒状フィルタ３４ｂを収納したドーナツ状の布袋４１を配置し、布袋４１で囲まれる空間に亜硫酸カルシウムを布や綿に含浸させたフィルタ材３４ｃを収容している。この場合、ドーナツ状の布袋４１の一部に湯水の流れを阻止する流路遮蔽板３６を設置すると共に、フィルタ装着部３３の前面中央部のみをパンチングメタルやステンレスメッシュの多孔板による透水部３７にする。
【００３９】
図９のフィルタ装置の場合、筒状取付部３１からの湯水がフィルタ装着部３３中の布袋４１に入り、流路遮蔽板３６で流れ方向が規制されて布袋４１内のホタテ貝殻焼成カルシウムを図９で反時計方向に流れてホタテ貝殻焼成カルシウムでろ過され、亜硫酸カルシウムのフィルタ材３４ｃで塩素除去されて、透水部３７から流出する。湯水の流れ方向が遮蔽板３６である程度規制されることから、ホタテ貝殻焼成カルシウムのフィルタ効果が十分に発揮できる。
【００４０】
図１０の第６の実施の形態のフィルタ装置は、図８のフィルタ装置の筒状取付部３１に連接した円盤状のフィルタ装着部３３の内部周辺部にホタテ貝殻焼成カルシウムの粒状フィルタ３４ｂを収納したＣ字状の布袋４１を配置し、布袋４１で囲まれる空間に亜硫酸カルシウムを布や綿に含浸させたフィルタ材３４ｃを収容している。また、円盤状フィルタ装着部３３の取付部３１との連接部分に小空間４１を形成し、小空間４１と布袋４１の両端及びフィルタ材３４ｃをフィルタ機能を有する仕切材３４ｄで仕切る。この小空間４１に湯水の流れ方向を分散して規制する分散板４２を設置する。また、フィルタ装着部３３の前面周辺部で布袋４１と対向する部分にＣ字状の透水部４３を形成する。
【００４１】
図１０のフィルタ装置の場合、筒状取付部３１からの湯水が分散板４２で平均的に分散されて、仕切材３４ｄから布袋４１とフィルタ材３４ｃに流入する。フィルタ材３４ｃでろ過された湯水が布袋４１に入り、ホタテ貝殻焼成カルシウムでろ過されて透水部４３から流出する。この場合も、布袋４１の全体を湯水が通過することで、ホタテ貝殻焼成カルシウムのフィルタ効果が十分に発揮できる。
【００４２】
図１１の第７の実施の形態のフィルタ装置は、図８のフィルタ装置の筒状取付部３１に連接した円盤状のフィルタ装着部３３の内部にホタテ貝殻焼成カルシウムの粒状フィルタ３４ｂを収納した円盤状の回転ケース４５を設置している。回転ケース４５は全体が多孔板で形成されて湯水が自在に流入し流出する。回転ケース４５の中心とフィルタ装置３３の中心を支軸４６で連結する。回転ケース４５を通過する湯水の水圧で回転ケース４５が支軸４６を中心に自由回転するように、回転ケース４５の中に図示しない水車式羽根を設ける。また、円盤状フィルタ装着部３３の外周壁の取付部３１と反対部分を湯水を流出させる透水部４７とする。この透水部４７は、亜硫酸カルシウム添着不織布で構成する。
【００４３】
図１１のフィルタ装置の場合、筒状取付部３１からの湯水がフィルタ装着部３３の中に入り、回転ケース４５の内外を流動すると、回転ケース４５が回転して湯水とケース内のホタテ貝殻焼成カルシウムのと接触時間が増大し、また、回転によりホタテ貝殻焼成カルシウムと湯水が攪拌作用を受ける。そのため、ホタテ貝殻焼成カルシウムのフィルタ効果が十分に発揮できる。また、フィルタ装着部３３の外周壁一部に透水部４７を斜め下向き方向に形成することで、湯水が透水部３３を浴槽の底面に向けて流出して、浴槽内の湯水を効率よく攪拌し、追焚き効果をよくする。
【００４４】
次に、図１２に示す第８の実施の形態のフィルタ装置を説明する。このフィルタ装置は、図１３に示す循環アダプタ２のアダプタ本体に直接に装着したフィルタカセット５０を備える。図１３の循環アダプタ２からアダプタキャップ１０を外して、代わりにフィルタカセット５０を装着する。フィルタカセット５０は、循環アダプタ２の吸込口５と吐出口６を湯水流通可能にして循環アダプタ２に着脱自在に装着される取付部５１と、循環アダプタ２のアダプタ本体を覆う円形キャップ状のフィルタ装着部５３を備え、フィルタ装着部５３の内部にフィルタ５４を収納している。フィルタ装着部５３の前面周辺部に透水部５５が形成される。
【００４５】
フィルタ装着部５３の内部周辺部にホタテ貝殻焼成カルシウムの粒状フィルタを収納したドーナツ状の布袋５４ａを配置し、循環アダプタ２の前面を覆うように亜硫酸カルシウムを布や綿に含浸させたフィルタ材５４ｂを配置して、布袋５４ａとフィルタ材５４ｂで循環アダプタ２の前面と周面を覆う。また、循環アダプタ２の吸込口５には布袋５４ａを配置せずに開け、フィルタ装着部５３の内壁面の吐出口６と対向する部分に邪魔板５６を設置する。
【００４６】
循環アダプタ２の吐出口６から流出した湯水は、邪魔板５６で流れ方向が規制されて布袋５４ａを流れ、フィルタ材５４ｂを通過して、透水部５５から浴槽内に流出する。この場合も、循環アダプタ２の吐出口６から流出した湯水が布袋５４ａ内のホタテ貝殻焼成カルシウムでろ過され、亜硫酸カルシウムのフィルタ材５４ｂで塩素除去されて、再びホタテ貝殻焼成カルシウムでろ過されて透水部５５から流出する。そのため、布袋５４ａの全体を湯水が通過して、ホタテ貝殻焼成カルシウムのフィルタ効果が十分に発揮できる。
【００４７】
なお、本発明の浴槽用フィルタ装置は、上記した実施の形態に限定されるものではなく、本発明の要旨を逸脱しない範囲内において種々変更を加え得ることは勿論である。
【産業上の利用可能性】
【００４８】
本発明の浴槽用フィルタ装置は、浴槽内面にアダプタ本体を突出させた複数タイプの循環アダプタに適用が可能である。例えば、アダプタ本体の前面に吸込口を側面に吐出口を設けた追焚用循環アダプタや、その他の構成の追焚用循環アダプタに取付けるアダプタキャップ、フィルタカセットにも適用可能である。
【図面の簡単な説明】
【００４９】
【図１】本発明の第１の実施の形態を示すフィルタ装置の一部省略部分を含む正面図である。
【図２】図１のフィルタ装置の側面図である。
【図３】図１のフィルタ装置の分解正面図である。
【図４】本発明の第２の実施の形態を示すフィルタ装置の一部省略部分を含む正面図である。
【図５】図４のフィルタ装置の分解側面図である。
【図６】本発明の第３の実施の形態を示すフィルタ装置の一部省略部分を含む正面図である。
【図７】図６のフィルタ装置の分解正面図である。
【図８】本発明の第４の実施の形態を示すフィルタ装置の一部省略部分を含む正面図である。
【図９】本発明の第５の実施の形態を示すフィルタ装置の一部省略部分を含む正面図である。
【図１０】本発明の第６の実施の形態を示すフィルタ装置の一部省略部分を含む正面図である。
【図１１】本発明の第７の実施の形態を示すフィルタ装置の一部省略部分を含む正面図である。
【図１２】本発明の第８の実施の形態を示すフィルタ装置の一部省略部分を含む正面図である。
【図１３】追焚式浴槽における循環アダプタの一部省略部分を含む正面図である。
【図１４】図１３の循環アダプタの側面図である。
【図１５】図１４の循環アダプタの分解側面図である。
【図１６】図１５のアダプタキャップの部分拡大断面図である。
【符号の説明】
【００５０】
１    浴槽
２    循環アダプタ
３    ボディー部
４    アダプタ本体
４ｂ    吐出管部
４ａ    吸込管部
５    吸込口
６    吐出口
２０    アダプタキャップ
２１ａ    湯水流通部
２１ｂ    湯水流通部
２２    フィルタ
２３    取付穴
２５    内キャップ
２６    外キャップ
２７    レール部
３０    フィルタカセット
３１    取付部
３１ｂ    弾性係止爪
３１ａ    突起部
３２    湯水流通口
３３    フィルタ装着部
３４    フィルタ
３４ａ    フィルタ、貝殻焼成カルシウム、ホタテ貝殻焼成カルシウム
３５    透水部
５０    フィルタカセット
５１    取付部
５３    フィルタ装着部
５４    フィルタ
５５    透水部
【図１】
2005253954.tif 000003
【図２】
2005253954.tif 000004
【図３】
2005253954.tif 000005
【図４】
2005253954.tif 000006
【図５】
2005253954.tif 000007
【図６】
2005253954.tif 000008
【図７】
2005253954.tif 000009
【図８】
2005253954.tif 000010
【図９】
2005253954.tif 000011
【図１０】
2005253954.tif 000012
【図１１】
2005253954.tif 000013
【図１２】
2005253954.tif 000014
【図１３】
2005253954.tif 000015
【図１４】
2005253954.tif 000016
【図１５】
2005253954.tif 000017
【図１６】
2005253954.tif 000018